(57)【要約】      （修正有）【課題】所望とするキャラクターや文字、図形、記号、絵、ロゴ又はこれらの組合せを投影することが可能な電球を提供する。【解決手段】本電球は、内部が中空となっている基部２と、基部２の一端に接続された絶縁部４と、絶縁部４に接続された口金部５と、基部２の他端に接続されたグローブ部３とを備え、グローブ部３がその底面に平行な平面部８を備える。さらに、当該平面部８にキャラクター、文字、図形、記号、絵、ロゴの少なくともいずれか又はこれらの組合せを形成或いはデカール・シールの貼り付けにより付与する。【選択図】図１
0003170637.tif 000002
【実用新案登録請求の範囲】
【請求項１】
内部が中空となっている基部と、
上記基部に配設された発光部と、
上記基部の一端に接続された絶縁部と、
上記絶縁部に接続された口金部と、
上記基部の他端に接続されたグローブ部と、を備え、
上記グローブ部がその底面に並行な平面部を備えており、当該平面部にキャラクター、文字、図形、記号、絵、ロゴの少なくともいずれか又はこれらの少なくともいずれかの組合せを形成し、上記発光部の発光により投影することを特徴とする電球。
【請求項２】
内部が中空となっている基部と、
上記基部に配設された発光部と、
上記基部の一端に接続された絶縁部と、
上記絶縁部に接続された口金部と、
上記基部の他端に接続されたグローブ部と、
上記グローブ部に着脱されるキャップ部と、を備え、
上記グローブ部の底面と平行な頂上面は開口されており、当該開口部分に、上記キャップ部が固定されるキャップ受け部が形成されており、
上記キャップ部が平面部を備えており、当該平面部にキャラクター、文字、図形、記号、絵、ロゴの少なくともいずれか又はこれらの少なくともいずれかの組合せを形成し、上記発光部の発光により投影することを特徴とする電球。
【請求項３】
上記キャップ受け部の外周面にはネジ溝が刻まれており、
当該ネジ溝が、上記キャップ部の内周面に形成されたネジ溝と合致して、上記キャップ部が上記キャップ受け部にネジ込まれ、固定されることを特徴とする請求項２に記載の電球。
【請求項４】
上記キャップ受け部は、上記開口部分の内径よりも大きな径で外側に突出した円弧状の突出部を備えており、上記キャップ部は、底面のみ開口されており、その底面の開口部において内側に所定長だけ突出した係合部を備えており、
上記キャップ部を上記キャップ受け部に装着するときには、このキャップ受け部の突出部を越えて当該突出部の下部に上記キャップ部の係合部が係合し、上記キャップ受け部にキャップ部が固定されることを特徴とする請求項２に記載の電球。
【請求項５】
上記キャップ受け部は、上記開口部分の内側に向けて円形状に所定長だけ突出した突出部と、上記キャップ部が装着時にグローブ部内に落ち込まないように規制する円形状の規制部とを備えており、
上記キャップ部を上記キャップ受け部に装着する際には、上記キャップ受け部の突出部により上記キャップ部の側周面が保持され、上記規制部により位置決めがなされることを特徴とする請求項２に記載の電球。
【請求項６】
上記キャップ受け部には、凹部が形成されており、
上記キャップ部は凸部を有しており、
上記キャップ受け部の側方開口部から上記キャップ部をスライドさせて挿入すると、上記キャップ受け部の凹部に上記キャップ部の凸部が勘合することを特徴とする請求項２に記載の電球。
【請求項７】
オルゴール部を更に備えたことを特徴とする請求項１乃至６のいずれか１項に記載の電球。
【請求項８】
上記基部の側周面に放熱フィンが配設されていることを特徴とする請求項１乃至６のいずれか１項に記載の電球。
【請求項９】
請求項１乃至８の何れか１項に記載の電球を用いたことを特徴とする照明装置。
【請求項１０】
発光部と、
レンズ部と、を有し、
当該レンズ部の平面にキャラクター、文字、図形、記号、絵、ロゴの少なくともいずれか又はこれらの少なくともいずれかの組合せをショットブラストにより形成し、或いはデカールにより付与し、上記発光部の発光により投影することを特徴とする照明装置。
【考案の詳細な説明】
【技術分野】
【０００１】
この考案は、例えばLED（Light Emitting Diode）やCCFL（Cold Cathode Fluorescent
Lamp）を用いた電球及び照明装置に関するものである。
【背景技術】
【０００２】
一般に、屋内外の照明には、各種電球が用いられているが、今日では従来の白熱電球や蛍光灯から、ＬＥＤやＣＣＦＬを用いた電球が、低消費電力で発熱が抑えられており、且つ劣化が少ないことから用いられてきている。そして、単なる照明としての機能のみならず屋内外の装飾目的からこれら電球を用いることが嘱望されている。
【０００３】
例えば特許文献１では、エッチング模様が形成された電球及びこれを用いた照明装置が開示されている。即ち、この照明装置は、透明ガラス球の表面にレジストパターンの模様がエッチングにより転写された電球と、電球を覆う半透明カバーとを備えている。
【先行技術文献】
【特許文献】
【０００４】
【特許文献１】実用新案登録第３１０３７１４号公報
【考案の概要】
【考案が解決しようとする課題】
【０００５】
しかしながら、上記従来技術に係る照明装置は、内部の電球にレジストパターンの模様が転写されてはいるものの、投影を目的としたものではない。
【０００６】
そこで、本考案は上述した課題に鑑みてなされたもので、その目的とするところは、所望とするキャラクターや文字、図形、記号、絵、ロゴ又はこれらの組合せを投影することが可能な電球及び照明装置を提供することにある。
【課題を解決するための手段】
【０００７】
上記課題を解決すべく、本考案の第１の観点による電球は、内部が中空となっている基部と、上記基部に配設された発光部と、上記基部の一端に接続された絶縁部と、上記絶縁部に接続された口金部と、上記基部の他端に接続されたグローブ部と、を備え、上記グローブ部がその底面に並行な平面部を備えており、当該平面部にキャラクター、文字、図形、記号、絵、ロゴの少なくともいずれか又はこれらの少なくともいずれかの組合せを形成し、上記発光部の発光により投影することを特徴とする。
【０００８】
本考案の第２の観点による電球は、内部が中空となっている基部と、上記基部に配設された発光部と、上記基部の一端に接続された絶縁部と、上記絶縁部に接続された口金部と、上記基部の他端に接続されたグローブ部と、上記グローブ部に着脱されるキャップ部と、を備え、上記グローブ部の底面と平行な頂上面は開口されており、当該開口部分に、上記キャップ部が固定されるキャップ受け部が形成されており、上記キャップ部が平面部を備えており、当該平面部にキャラクター、文字、図形、記号、絵、ロゴの少なくともいずれか又はこれらの少なくともいずれかの組合せを形成し、上記発光部の発光により投影することを特徴とする。
【０００９】
本考案の第３の観点による照明装置は、発光部と、レンズ部とを有し、当該レンズ部の平面にキャラクター、文字、図形、記号、絵、ロゴの少なくともいずれか又はこれらの少なくともいずれかの組合せを形成し、上記発光部の発光により投影されることを特徴とする。
【考案の効果】
【００１０】
したがって、本考案に係る電球及び照明装置によれば、所望とするキャラクターや文字、図形、記号、絵、ロゴ又はこれらの組合せを投影することが可能となる。さらに、これらキャラクターや文字等が付される平面をキャップ部の平面とすれば、簡易に投影するキャラクターや文字等を変更することができる。また、係合時において、キャップ部をキャップ受け部に対して回転自在とすれば、キャップ部の平面に付与された文字等の投影角度を適宜調整することが可能である。
【図面の簡単な説明】
【００１１】
【図１】本考案の第１の実施形態に係る電球の構成を示す図である。
【図２】本考案の第１の実施形態に係る電球の構成を示す斜視図である。
【図３】（ａ）は本考案の第２の実施形態に係る電球の構成（キャップ部装着前）を示す図、（ｂ）は当該電球の構成（キャップ部装着後）を示す図である。
【図４】（ａ）は本考案の第２の実施形態に係る電球の構成（キャップ部装着前）を示す斜視図、（ｂ）は当該電球の構成（キャップ部装着後）を示す斜視図である。
【図５】（ａ）は本考案の第３の実施形態に係る電球の構成（キャップ部装着前）を示す図、（ｂ）は当該電球の構成（キャップ部装着後）を示す図である。
【図６】（ａ）は本考案の第３の実施形態に係る電球の構成（キャップ部装着前）を示す斜視図、（ｂ）は当該電球の構成（キャップ部装着後）を示す斜視図である。
【図７】（ａ）は本考案の第４の実施形態に係る電球の構成（キャップ部装着前）を示す図、（ｂ）は当該電球の構成（キャップ部装着後）を示す図である。
【図８】（ａ）は本考案の第４の実施形態に係る電球の構成（キャップ部装着前）を示す斜視図、（ｂ）は当該電球の構成（キャップ部装着後）を示す斜視図である。
【図９】（ａ）は本考案の第５の実施形態に係る電球の構成（キャップ部装着前）を示す図、（ｂ）は当該電球の構成（キャップ部装着後）を示す図である。
【図１０】（ａ）は本考案の第５の実施形態に係る電球の構成（キャップ部装着前）を示す斜視図、（ｂ）は当該電球の構成（キャップ部装着後）を示す斜視図である。
【図１１】（ａ）は本考案の第６の実施形態に係る電球の構成図、（ｂ）はオルゴール部の回路構成を示す図である。
【図１２】本考案の第７の実施形態に係る電球の構成を示す図である。
【図１３】本考案の第８の実施形態に係る照明装置としてのスポットライトの構成を示す図である。
【図１４】本考案の第９の実施形態に係る照明装置としての街路灯の構成を示す図である。
【図１５】本考案の第１０の実施形態に係る照明装置としての街路灯の構成を示す図である。
【図１６】本考案の第１１の実施形態に係る直筒型ＬＥＤランプの構成を示す図である。
【考案を実施するための形態】
【００１２】
以下、図面を参照して、本考案の好適な実施形態に係る電球ついて説明する。
【００１３】
以下に説明する実施形態に係る電球は、例えば、発光ダイオード（LED；Light Emitting Diode）や冷陰極蛍光ランプ（CCFL；Cold Cathode Fluorescent Lamp）を用いた電球である。これらは、従来の白熱電球や蛍光灯に比べて長寿命で信頼性が高く、更に低消費電力且つ低発熱性という特質がある。したがって、詳細は後述するが、各実施形態のように所望とするキャラクターや文字、図形、記号、絵、ロゴ又はこれらの組合せをショットブラストやデカール・シールによりグローブ部に付与した場合にも、熱等による劣化の問題が生じない。以下、ＬＥＤ電球への適用例を例に挙げ、各実施形態について詳述する。
【００１４】
［第１の実施形態］
図１は本考案の第１の実施形態に係る電球の構成を示す平面図、図２は本考案の第１の実施形態に係る電球の構成を示す斜視図である。
【００１５】
これらの図に示されるように、電球１は、基部２とグローブ部３、絶縁部４、口金部５からなる。基部２の内部は中空となっており、基部２の一端は絶縁部４を介して口金部５に接続されており、基部２の他端にはグローブ部３が配設されている。この基部２のグローブ部３の配設側には、ここでは不図示の放熱板を介して発光部としてのＬＥＤモジュール６が配設されている。このＬＥＤモジュール６は、複数のＬＥＤ素子が所定間隔で配列されてなる。基部２の内部には、ＬＥＤモジュール６のＬＥＤ素子の発光を制御する不図示の発光制御回路が内蔵されている。さらに、この例では、基部２の側周面には放熱フィン７が配設されている。
【００１６】
そして、特徴的なのは、グローブ部３が円錐台の形状を呈しており、電球１の長手方向に垂直な平面部８を備えている点である。つまり、グローブ部３は、円を底面とした錐台であって、円錐を底面に平行な平面部８で切り、小円錐の部分を除いた立体形状となっている。そして、この平面部８には、所望とするキャラクターや文字、図形、記号、絵、ロゴ又はこれらの組合せをショットブラストにより付与したり、デカール・シールを貼り付けることで付与したりすることができるようになっている。このショットブラストによれば、サテン地の模様や柄を付けることも可能である。
【００１７】
ここで、ショットブラストとは、単にブラストとも称され、投射材と呼ばれる粒体を加工物であるグローブ部３の平面部８に衝突させ、模様付け等を行う手法である。
対象となるのは、金属、セラミック、ガラス、プラスチック等硬質なものが主ではある。また、デカールには、水で濡らした後、台紙からスライドさせ貼付するウォータースライドデカールや、透明なフィルムの上から擦ることで図柄等を転写するドライデカール、水を用いて貼付することを所望とする部位の表面に図柄を反転転写する耐水デカール、その他、熱転写デカール等が含まれる。その他、シルク印刷や図柄等が付与されたセロハンの貼り付けによってもよいことは勿論である。
【００１８】
尚、グローブ部３の形状を、ドーム型を底面に平行な平面部で切ったような形状としてもよいことは勿論である。平面部を有していれば、他の形状も採用可能である。
【００１９】
このように、本考案の第１の実施形態によれば、内部が中空となっている基部２と、基部２の一端に接続された絶縁部４と、絶縁部４に接続された口金部５と、基部２の他端に接続されたグローブ部３とを備え、グローブ部３がその底面に平行な平面部８を備えており、当該平面部８にキャラクター、文字、図形、記号、絵、ロゴの少なくともいずれか又はこれらの組合せを形成或いはデカール・シールの貼り付けにより付与することを特徴とする電球が提供される。従って、平面部８にキャラクター、文字、図形、記号、絵、ロゴの少なくともいずれか又はこれらの組合せを簡易に付与することができ、これら付与されたキャラクター等を投影することが可能となる。
【００２０】
［第２の実施形態］
図３（ａ）は本考案の第２の実施形態に係る電球の構成（キャップ部装着前）を示す平面図、図３（ｂ）は当該電球の構成（キャップ部装着後）を示す平面図、図４（ａ）は当該電球の構成（キャップ部装着前）を示す斜視図、図４（ｂ）は当該電球の構成（キャップ部装着後）を示す斜視図である。
【００２１】
これらの図に示されるように、この電球１１は、基部１２とグローブ部１３、絶縁部１４、口金部１５からなる。基部１２の内部は中空となっており、基部１２の一端は絶縁部１４を介して口金部１５に接続されており、基部１２の他端にはグローブ部１３が配設されている。この基部１２のグローブ部１３の配設側には、ここでは不図示の放熱板を介して発光部としてのＬＥＤモジュール１６が配設されている。ＬＥＤモジュール１６は、複数のＬＥＤ素子が所定間隔で配列されてなる。基部１２の内部には、ＬＥＤモジュール１６のＬＥＤ素子の発光を制御する不図示の発光制御回路が内蔵されている。さらに、この例では、基部１２の側周面には放熱フィン１７が配設されている。
【００２２】
そして、特徴的なのは、グローブ部１３が略円錐台の形状を呈しており、底面と平行な頂上面は開口されており、当該開口部分に、キャップ部１９が固定されるキャップ受け部１８が形成されている。キャップ受け部１８の外周面にはネジ溝が刻まれており、当該ネジ溝が、キャップ部１９の内周面に形成されたネジ溝と合致して、キャップ部１９がキャップ受け部１８にネジ込まれ、固定されるようになっている。
【００２３】
更に、キャップ部１９の平面部１９ａには、所望とするキャラクターや文字、図形、記号、絵、ロゴ又はこれらの組合せをショットブラストにより付与したり、デカール・シールを貼り付けることで付与したりできるようになっている。このショットブラストによれば、サテン地の模様や柄を付けることも可能である。尚、ショットブラストやデカールの詳細は、第１の実施形態で前述した通りである。
【００２４】
尚、グローブ部１３の形状を、ドーム型を底面に平行な平面部で切ったような形状としてもよいことは勿論である。平面部を有していれば、他の形状も採用可能である。
【００２５】
このように、本考案の第２の実施形態によれば、内部が中空となっている基部１２と、基部１２の一端に接続された絶縁部１４と、絶縁部１４に接続された口金部１５と、基部１２の他端に接続されたグローブ部１３と、グローブ部１３に着脱されるキャップ部１９とを備え、グローブ部１３の底面と平行な頂上面は開口されており、当該開口部分に、キャップ部１９が固定されるキャップ受け部１８が形成されており、キャップ部１９が平面部１９ａを備えており、当該平面部１９ａにキャラクター、文字、図形、記号、絵、ロゴの少なくともいずれか又はこれらの組合せを形成或いはデカール・シールの貼り付けにより付与することを特徴とする電球が提供される。
【００２６】
更に、キャップ受け部１８の外周面にはネジ溝が刻まれており、当該ネジ溝が、キャップ部１９の内周面に形成されたネジ溝と合致して、キャップ部１９がキャップ受け部１８にネジ込まれ、固定されることを特徴とする電球が提供される。従って、キャップ部１９の交換が容易であるので、様々なキャラクター、文字、図形、記号、絵、ロゴの少なくともいずれか又はこれらの組合せが付与された複数のキャップ部１９の中から所望とするもに適宜迅速に交換し、投影することが可能となる。
【００２７】
［第３の実施形態］
図５（ａ）は本考案の第３の実施形態に係る電球の構成（キャップ部装着前）を示す平面図、図５（ｂ）は当該電球の構成（キャップ部装着後）を示す平面図、図６（ａ）は当該電球の構成（キャップ部装着前）を示す斜視図、図６（ｂ）は当該電球の構成（キャップ部装着後）を示す斜視図である。
【００２８】
これらの図に示されるように、この電球２１は、基部２２とグローブ部２３、絶縁部２４、口金部２５からなる。基部２２の内部は中空となっており、基部２２の一端は絶縁部２４を介して口金部２５に接続されており、基部２２の他端にはグローブ部２３が配設されている。この基部２２のグローブ部２３の配設側には、ここでは不図示の放熱板を介して発光部としてのＬＥＤモジュール２６が配設されている。ＬＥＤモジュール２６は、複数のＬＥＤ素子が所定間隔で配列されてなる。基部２２の内部には、ＬＥＤモジュール２６のＬＥＤ素子の発光を制御する不図示の発光制御回路が内蔵されている。さらに、この例では、基部２２の側周面には放熱フィン２７が配設されている。
【００２９】
そして、特徴的なのは、グローブ部２３が略円錐台の形状を呈しており、底面と平行な頂上面は開口されており、当該開口部分に、キャップ部２９が固定されるキャップ受け部２８が形成されている。キャップ受け部２８は、開口部分の内径よりも大きな径で外側に突出した円弧状の突出部２８ａを備えている。キャップ部２９は、底面のみ開口されており、その底面の開口部において内側に所定長だけ突出した係合部２９ｂを備えている。キャップ部２９をキャップ受け部２８に装着するときには、このキャップ受け部２８の突出部２８ａを越えてその下部にキャップ部２９の係合部２９ｂが係合し、キャップ受け部２８にキャップ部２９が固定されることになる。
【００３０】
更に、キャップ部２９の平面部２９ａには、所望とするキャラクターや文字、図形、記号、絵、ロゴ又はこれらの組合せをショットブラストにより付与したり、デカール・シールを貼り付けることで付与したりできるようになっている。このショットブラストによれば、サテン地の模様や柄を付けることも可能である。尚、ショットブラストやデカールの詳細は、第１の実施形態で前述した通りである。
【００３１】
尚、グローブ部２３の形状を、ドーム型を底面に平行な平面部で切ったような形状としてもよいことは勿論である。平面部を有していれば、他の形状も採用可能である。
【００３２】
このように、本考案の第３の実施形態によれば、キャップ受け部２８は、開口部分の内径よりも大きな径で外側に突出した円弧状の突出部２８ａを備えており、キャップ部２９は、底面のみ開口されており、その底面の開口部において内側に所定長だけ突出した係合部２９ｂを備えており、キャップ部２９をキャップ受け部２８に装着するときには、このキャップ受け部２８の突出部２８ａを越えてその下部にキャップ部２９の係合部２９ｂが係合し、キャップ受け部２８にキャップ部２９が固定されることを特徴とする電球が提供される。従って、キャップ部２９の交換が容易であるので、様々なキャラクター、文字、図形、記号、絵、ロゴの少なくともいずれか又はこれらの組合せが付与された複数のキャップ部２９の中から所望とするものに適宜迅速に交換し投影することが可能となる。また、係合時においても、キャップ部２９をキャップ受け部２８に対して回転させることができるので、平面部２９ａに付与された文字等の投影角度を適宜調整することが可能である。
【００３３】
［第４の実施形態］
図７（ａ）は本考案の第４の実施形態に係る電球の構成（キャップ部装着前）を示す平面図、図７（ｂ）は当該電球の構成（キャップ部装着後）を示す平面図、図８（ａ）は当該電球の構成（キャップ部装着前）を示す斜視図、図８（ｂ）は当該電球の構成（キャップ部装着後）を示す斜視図である。
【００３４】
これらの図に示されるように、この電球３１は、基部３２とグローブ部３３、絶縁部３４、口金部３５からなる。基部３２の内部は中空となっており、基部３２の一端は絶縁部３４を介して口金部３５に接続されており、基部３２の他端にはグローブ部３３が配設されている。この基部３２のグローブ部３３の配設側には、ここでは不図示の放熱板を介して発光部としてのＬＥＤモジュール３６が配設されている。ＬＥＤモジュール３６は、複数のＬＥＤ素子が所定間隔で配列されてなる。基部３２の内部には、ＬＥＤモジュール３６のＬＥＤ素子の発光を制御する不図示の発光制御回路が内蔵されている。さらに、この例では、基部３２の側周面には放熱フィン３７が配設されている。
【００３５】
そして、特徴的なのは、グローブ部３３が略円錐台の形状を呈しており、底面と平行な頂上面は開口されており、当該開口部分に、その平面が円形状の平板部材であるキャップ部３９が固定されるキャップ受け部３８が形成されている。キャップ受け部３８は、開口部分の内側に向けて円形状に所定長だけ突出した突出部３８ａを備えている。さらに、キャップ部３９が装着時にグローブ部３３内に落ち込まないように規制する円形状の規制部３８ｂを備えている。キャップ部３９をキャップ受け部３８に装着する際にはキャップ受け部３８の突出部３８ａにより、キャップ部３９の側周面が保持され、規制部３８ｂにより位置決めがなされる。
【００３６】
更に、キャップ部３９の平面部３９ａには、所望とするキャラクターや文字、図形、記号、絵、ロゴ又はこれらの組合せをショットブラストにより付与したり、デカール・シールを貼り付けることで付与したりできるようになっている。このショットブラストによれば、サテン地の模様や柄を付けることも可能である。尚、ショットブラストやデカールの詳細は、第１の実施形態で前述した通りである。
【００３７】
尚、グローブ部３３の形状を、ドーム型を底面に平行な平面部で切ったような形状としてもよいことは勿論である。平面部を有していれば、他の形状も採用可能である。
【００３８】
このように、本考案の第４の実施形態によれば、キャップ受け部３８は、開口部分の内側に向けて円形状に所定長だけ突出した突出部３８ａと、キャップ部３９が装着時にグローブ部３３内に落ち込まないように規制する円形状の規制部３８ｂとを備えており、キャップ部３９をキャップ受け部３８に装着する際にはキャップ受け部３８の突出部３８ａによりキャップ部３９の側周面が保持され、規制部３８ｂにより位置決めがなされることを特徴とする電球が提供される。従って、キャップ部３９の交換が容易であるので、様々なキャラクター、文字、図形、記号、絵、ロゴの少なくともいずれか又はこれらの組合せが付与された複数のキャップ部３９の中から所望とするものに適宜迅速に交換し投影することが可能となる。また、係合時においても、キャップ部３９をキャップ受け部３８に対して回転させることができるので、平面部３９ａに付与された文字等の投影角度を適宜調整することが可能である。
【００３９】
［第５の実施形態］
図９（ａ）は本考案の第５の実施形態に係る電球の構成（キャップ部装着前）を示す平面図、図９（ｂ）は当該電球の構成（キャップ部装着後）を示す平面図、図１０（ａ）は当該電球の構成（キャップ部装着前）を示す斜視図、図１０（ｂ）は当該電球の構成（キャップ部装着後）を示す斜視図である。
【００４０】
これらの図に示されるように、この電球４１は、基部４２とグローブ部４３、絶縁部４４、口金部４５からなる。基部４２の内部は中空となっており、基部４２の一端は絶縁部４４を介して口金部４５に接続されており、基部４２の他端にはグローブ部４３が配設されている。この基部４２のグローブ部４３の配設側には、ここでは不図示の放熱板を介して発光部としてのＬＥＤモジュール４６が配設されている。ＬＥＤモジュール４６は、複数のＬＥＤ素子が所定間隔で配列されてなる。基部４２の内部には、ＬＥＤモジュール４６のＬＥＤ素子の発光を制御する不図示の発光制御回路が内蔵されている。さらに、この例では、基部４２の側周面には放熱フィン４７が配設されている。
【００４１】
そして、特徴的なのは、グローブ部４３が略円錐台の形状を呈しており、底面と平行な頂上面は開口されており、当該開口部分に、キャップ部３９がスライド式に挿入され装着されるキャップ受け部４８が形成されている。キャップ受け部４８には、凹部４８ａが形成されており、キャップ部４９は凸部４９ｂを有しており、キャップ受け部４８の側方開口部４８ｂからキャップ部４９をスライドさせて挿入すると、キャップ受け部４８の凹部４８ａにキャップ部４９の凸部４９ｂが勘合するようになっている。
【００４２】
更に、キャップ部４９の平面部４９ａには、所望とするキャラクターや文字、図形、記号、絵、ロゴ又はこれらの組合せをショットブラストにより付与したり、デカール・シールを貼り付けることで付与したりできるようになっている。このショットブラストによれば、サテン地の模様や柄を付けることも可能である。尚、ショットブラストやデカールの詳細は、第１の実施形態で前述した通りである。
【００４３】
尚、グローブ部４３の形状を、ドーム型を底面に平行な平面部で切ったような形状としてもよいことは勿論である。平面部を有していれば、他の形状も採用可能である。
【００４４】
このように、本考案の第５の実施形態によれば、キャップ受け部４８には、凹部４８ａが形成されており、キャップ部４９は凸部４９ｂを有しており、キャップ受け部４８の側方開口部４８ｂからキャップ部４９をスライドさせて挿入すると、キャップ受け部４８の凹部４８ａにキャップ部４９の凸部４９ｂが勘合することを特徴とする電球が提供されることになる。従って、キャップ部４９の交換が容易であるので、様々なキャラクター、文字、図形、記号、絵、ロゴの少なくともいずれか又はこれらの組合せが付与された複数のキャップ部４９の中から所望とするものに適宜迅速に交換することが可能となる。
【００４５】
［第６の実施形態］
図１１（ａ）は本考案の第６の実施形態に係る電球の構成を示す平面図であり、図１１（ｂ）はオルゴール部の回路構成を示す図である。尚、第１の実施形態と同一構成については同一符号を用いて重複した説明は省略し、異なる部分のみを説明する。
【００４６】
図１１（ａ）に示されるように、この電球５１では、基部２のグローブ部３の配設側には、ここでは不図示の放熱板を介して発光部としてのＬＥＤモジュール６が配設されており、当該ＬＥＤモジュール６の近傍にオルゴール部５２が配設されている。
【００４７】
そして、図１１（ｂ）に示されるように、このオルゴール部５２は、電源５３とスイッチ部５４、オルゴールＩＣ５５、圧電スピーカ５６からなる。スイッチ部５４は、機械的なものであってもよく、更には光を検知した場合にオンされるような光学的なものであってもよいことは勿論である。
【００４８】
このように、本考案の第６の実施形態によれば、オルゴール部５２を更に備えたことを特徴とする電球が提供される。従って、発光時にオルゴール部５２よりメロディが流れ居心地のよい空間を作り出すことが可能となる。
【００４９】
［第７の実施形態］
図１２は本考案の第７の実施形態に係る電球の構成を示す図である。これは、水銀灯タイプの大光量のランプ６１に適用したものであり、前述した第２の実施形態（図３）と同様に、ねじ込み式のキャップ部６２の平面に、ショットブラストによりキャラクター、文字、図形、記号、絵、ロゴの少なくともいずれか又はこれらの組合せを形成し、或いはデカール・シールの貼り付けにより付与することを特徴とする。
【００５０】
［第８の実施形態］
図１３は本考案の第８の実施形態に係る照明装置としてのスポットライトの構成を示す図である。スポットライト６３は、レンズ部６４を有しており、該レンズ部６４に、ショットブラストにより、キャラクター、文字、図形、記号、絵、ロゴの少なくともいずれか又はこれらの組合せを形成し、或いはデカール・シールの貼り付けにより付与することを特徴とする。
【００５１】
［第９の実施形態］
図１４は、本考案の第９の実施形態に係る照明装置としての街路灯の構成を示す図である。街路灯６５は、透明（或いは半透明）の窓部６６を有しており、当該窓部６６に、ショットブラストにより、キャラクター、文字、図形、記号、絵、ロゴの少なくともいずれか又はこれらの組合せを形成し、或いはデカール・シールの貼り付けにより付与することを特徴とする。
【００５２】
［第１０の実施形態］
図１５は本考案の第１０の実施形態に係る照明装置としての街路灯の構成を示す図である。街路灯６７は、透明（或いは半透明）の側周筺体部６８を有しており、当該側周筺体部６８に、ショットブラストにより、キャラクター、文字、図形、記号、絵、ロゴの少なくともいずれか又はこれらの組合せを形成し、或いはデカール・シールの貼り付けにより付与することを特徴とする。
【００５３】
［第１１の実施形態］
図１６は本考案の第１１の実施形態に係る直筒型ＬＥＤランプの構成を示す図である。直筒型ＬＥＤランプ７０は、筒型のレンズ部７１を備えており、当該レンズ部７１の表面に、ショットブラストにより、キャラクター、文字、図形、記号、絵、ロゴの少なくともいずれか又はこれらの組合せを形成し、或いはデカール・シールの貼り付けにより付与することを特徴とする。
【００５４】
以上、本考案の第１乃至第１１の実施形態について説明したが、この考案はこれらに限定されるものではなく、各種の変更や改良が可能である。例えば、第１乃至第６の実施形態に係る電球を用いたダウンライト、工場灯、スポットライト、街路灯等といった照明装置としての実施も可能であることは勿論である。
【符号の説明】
【００５５】
１，１１，２１，３１，４１，５１  電球
２，１２，２２，３２，４２  基部
３，１３，２３，３３，４３  グローブ部
４，１４，２４，３４，４４  絶縁部
５，１５，２５，３５，４５  口金部
６，１６，２６，３６，４６  ＬＥＤモジュール
７，１７，２７，３７，４７  放熱フィン
８  平面部
１８，２８，３８，４８  キャップ受け部
１９，２９，３９，４９，６２  キャップ部
５２  オルゴール部
５３  電源
５４  スイッチ部
５５  オルゴールＩＣ
５６  圧電スピーカ
６１  ランプ
６３  スポットライト
６４  レンズ部
６５，６７  街路灯
６６  窓部
６８  側周筺体部
７０  直筒型ＬＥＤランプ
７１  レンズ部
【図１】
0003170637.tif 000003
【図２】
0003170637.tif 000004
【図３】
0003170637.tif 000005
【図４】
0003170637.tif 000006
【図５】
0003170637.tif 000007
【図６】
0003170637.tif 000008
【図７】
0003170637.tif 000009
【図８】
0003170637.tif 000010
【図９】
0003170637.tif 000011
【図１０】
0003170637.tif 000012
【図１１】
0003170637.tif 000013
【図１２】
0003170637.tif 000014
【図１３】
0003170637.tif 000015
【図１４】
0003170637.tif 000016
【図１５】
0003170637.tif 000017
【図１６】
0003170637.tif 000018